(57)【要約】【課題】多数連続して干した洗濯物が、広がったままで保持され、乾きのよい、連続して干すための洗濯バサミ具を提供する。【解決手段】選択竿に通すためのリング部１０を上端に有する吊下げ紐４の下部に二股部１２が設けられ、この二股部１２の各下端に洗濯バサミ６が取り付けられる。よって、風が吹いても、風を受けた各洗濯物１６は、洗濯バサミ６を両側から反対方向に引き寄せようとする。引き寄せようとする力は、互いに打ち消しあうので、洗濯バサミ６は移動しにくい。このため洗濯物１６は広がったままで保持される。【選択図】図１
2008178443.tif 000002
【特許請求の範囲】
【請求項１】
洗濯竿に通すためのリング部を上端に有する吊下げ紐と、この吊下げ紐の下部に設けられる二股部と、この二股部の各下端に取り付けられた洗濯バサミと、を有することを特徴とする連続して干すための洗濯バサミ具。
【請求項２】
請求項１に記載の連続して干すための洗濯バサミ具の使用方法であって、二股部の各下端に取り付けられた洗濯バサミは、隣り合う洗濯物の隣り合う上端部を、つまんで干すことを特徴とする連続して干すための洗濯バサミ具の使用方法。
【発明の詳細な説明】
【技術分野】
【０００１】
この発明は、竿に洗濯物を連続して干すための洗濯バサミ具の構造に関する。
【背景技術】
【０００２】
通常、竿に、たとえばタオルなどの同じ洗濯物を多数連続して干す場合には、竿に直接にタオルを跨るように干し、タオルの左右の二重になった部分を、洗濯バサミで止める。そして、これら多数の洗濯物を同じように広げて干したいときに、洗濯物の数により、各洗濯物の広げ方を調整しなければならない。広げ方が広すぎると、洗濯物を干すスペース、すなわち竿の長さ方向のスペースが足りなくなる。逆に、狭すぎると、スペースが余ってしまう。この調整をするためには、すべての洗濯物の広げ方を修正しなければならない。竿に直接にタオルを跨るように干していると、この修正が面倒である。
【０００３】
そこで、図４に示すように、竿１０２に各洗濯バサミ１０４を吊下げ、竿１０２に対して長さ方向へ洗濯バサミ１０４が移動できるようにしておく。そうすると、各洗濯物１０６の広げ方が広すぎても狭すぎても、後で、各洗濯バサミ１０４の位置を移動するのは容易であるから、広げ方の修正も容易である。すべての洗濯物１０６の広げ方を容易に調整できる。
【発明の開示】
【発明が解決しようとする課題】
【０００４】
しかしながら、図４のように干すと、風が吹くと、風を受けた各洗濯物１０６は、この洗濯物１０６を吊下げている二つの洗濯バサミ１０４を引っ張る力（図中の矢印参照）を洗濯バサミ１０４に与える。このために洗濯バサミ１０４は容易に移動する。そして、洗濯物１０６は広がった状態からしぼんだ状態になり、結果的に、図５のようになってしまう。つまり、せっかく洗濯物１０６を調整して広げた作業が、無駄になってしまう。よって、洗濯物１０６の乾きが悪くなってしまう。
【０００５】
この発明は、以上の問題点を解決するために、多数連続して干した洗濯物が、広がったままで保持され、乾きのよい、連続して干すための洗濯バサミ具を提供することを目的とする。
【課題を解決するための手段】
【０００６】
以上の課題を解決するために、第一発明は、洗濯竿に通すためのリング部を上端に有する吊下げ紐と、この吊下げ紐の下部に設けられる二股部と、この二股部の各下端に取り付けられた洗濯バサミと、を有することを特徴とする連続して干すための洗濯バサミ具である。
【０００７】
第二発明は、第一発明の連続して干すための洗濯バサミ具の使用方法であって、二股部の各下端に取り付けられた洗濯バサミは、隣り合う洗濯物の隣り合う上端部を、つまんで干すことを特徴とする連続して干すための洗濯バサミ具の使用方法である。
【発明の効果】
【０００８】
この発明によれば、吊下げ紐の二股部の各下端に洗濯バサミが取り付けられて、隣り合う洗濯物を干すことになる。よって、風が吹いても、風を受けた各洗濯物は、洗濯バサミ具を両側から反対方向に引き寄せる力を、洗濯バサミ具に与える。これらの反対方向の力は、互いに互いに打ち消しあう。
【０００９】
そして、洗濯物は、広げられた面に直角な成分を強く受け、広げられた面に平行な成分は、あまり受けにくい。直角な成分は、上述したように、互いに打ち消しあう。平行な成分に対しては、多数連続した洗濯物のうちすべてに同時に同じ風が吹き付けることは起きにくいので、風をあまり受けていない洗濯物が残存し、洗濯バサミ具が移動しないように働くアンカーの役を果たす。
【００１０】
これらために、どの方向からの風が吹いても、洗濯バサミ具は移動しにくい。このため洗濯物は広がったままで保持され、乾きがよい。
【発明を実施するための最良の形態】
【００１１】
この発明の実施形態に係る連続して干すための洗濯バサミ具２を、図１〜図３に示す。
この連続して干すための洗濯バサミ具２は、吊下げ紐４と二つの洗濯バサミ６とからなる。吊下げ紐４は、柔軟性があり、洗濯竿８に通すためのリング部１０を上端に有し、下部に二股部１２が設けられる。この二股部１２の各下端に洗濯バサミ６が取り付けられる。この取り付けは、洗濯バサミ６のリング状のバネ１４に二股部１２の下端が保持されて行われる。
【００１２】
（使用方法）
以上の洗濯バサミ６は、吊下げ紐４のリングに洗濯竿８を通して吊下げて使用する。複数の洗濯物１６を干す際に使用し、隣り合う洗濯物１６の間に吊下げる。そして、吊下げ紐４の二股部１２の各下端に取り付けられた二つの洗濯バサミ６で、右の洗濯物１６の左の上端部と、左の洗濯物１６の右の上端部とを、つまんで干す。
【００１３】
「実施形態の効果」
この実施形態によれば、隣り合う洗濯物１６を干すことになる。そして、風が吹くと、風を受けた各洗濯物１６は、図３に示すように、左右両側の洗濯バサミ６を力Ｆで引っ張り、その左右方向成分（ｘ成分）fxで水平に、すなわち竿８に沿って引き寄せようとする。しかし、この洗濯バサミ具２が有する二つの洗濯バサミ６のうち右の洗濯バサミ６は、右の洗濯物１６から力fxで引き寄せられ、左の洗濯バサミ６は、左の洗濯物１６から力fxで引き寄せられる。このように両側から反対方向に引き寄せる力fx、fxが、洗濯バサミ具２に与えられる。これらの異なる力は、互いに打ち消しあう。
【００１４】
洗濯物１６は広げられており、吹く風の方向の成分のうち、広げられた面に直角な成分を強く受ける。広げられた面に平行な成分は、あまり受けにくい。そして、直角な成分は、洗濯バサミ６を引き寄せようとするが、上述したように、この洗濯バサミ具２の構造により互いに打ち消しあう。
【００１５】
また、平行な成分は、あまり受けにくいものの、打ち消されないので洗濯バサミ６を移動させる要素を有するが、洗濯物１６を多数連続して干す場合には、多数連続した洗濯物１６のうちすべてに同時に同じ風が吹き付けることは起きにくい。このため、風をあまり受けていない洗濯物１６が残存する。この残存洗濯物は、洗濯バサミ具２が移動しないように働くアンカーの役を果たす。
【００１６】
これらために、どの方向からの風が吹いても、洗濯バサミ具２は移動しにくい。このため洗濯物１６は広がったままで保持され、乾きがよい。
【図面の簡単な説明】
【００１７】
【図１】この発明の一実施形態に係る洗濯バサミ具を示す斜視図である。
【図２】図１の洗濯バサミ具の使用状態を示す正面図である。
【図３】図２の要部拡大図である。
【図４】従来の洗濯バサミの使用状態を示す正面図である。
【図５】図４の洗濯バサミの課題を示す図である。
【符号の説明】
【００１８】
２…洗濯バサミ具、４…吊下げ紐、６…洗濯バサミ、８…洗濯竿、１０…リング部、１２…二股部、１４…バネ。
【図１】
2008178443.tif 000003
【図２】
2008178443.tif 000004
【図３】
2008178443.tif 000005
【図４】
2008178443.tif 000006
【図５】
2008178443.tif 000007